(57)【要約】      （修正有）【課題】低騒音で組み立てが容易なスライド台座を提供する。【解決手段】スライドブロック２０は、循環孔台座３０に取付けられ、スライドレール１０の両側のローリング凹溝１１及びその循環孔台座のインナーホールパス３８間にローリングボール７０及び静音チェーン６０が配置され、その循環孔台座の両端に循環エンドカバー４０を挿入して結合し、その外側に防塵カバー５０が嵌め込まれ、循環孔台座は、上面の両側に凹入部３１を有し、その前後端には上方に近づく箇所にフック３３が設けられるとともに、下方に円弧溝ブロック３２が設けられ、その円弧溝ブロックの内側にはそれぞれフランジが設けられていて、そのフランジとその円弧溝ブロックのプレートとの間に第一凹溝が形成されるとともに、その外側には第二凹溝が形成され、ローリングボール及び静音チェーンが配置されるアウターホールパス３７はその円弧溝ブロックの外側と上下二つの第二凹溝の間に設けられる。【選択図】図２
0003108833.tif 000002
【実用新案登録請求の範囲】
【請求項１】
スライドレール、スライドブロック、循環孔台座、循環エンドカバー、防塵カバー、ローリングボール及び静音チェーンを有してなるスライド台座であって、
前記スライドブロックは、前記循環孔台座に取付けられ、しかも、前記スライドレールの両側に設けられているローリング凹溝及びその循環孔台座のインナーホールパス間にローリングボール及び静音チェーンが配置され、その循環孔台座の両端に前記循環エンドカバーを挿入して結合し、その循環エンドカバーの外側に前記防塵カバーが嵌め込まれ、
前記循環孔台座は、上面の両側に凹入部を有し、その前後端には上方に近づく箇所にフックが設けられるとともに、下方に近づく箇所に円弧溝ブロックが設けられ、その円弧溝ブロックの内側にはそれぞれフランジが設けられていて、そのフランジとその円弧溝ブロックのプレートとの間に第一凹溝が形成されるとともに、その円弧溝ブロックの外側には第二凹溝が形成され、ローリングボール及び静音チェーンが配置されるアウターホールパスはその円弧溝ブロックの外側と上下二つの第二凹溝の間に設けられる、
ことを特徴とするスライド台座。
【請求項２】
請求項１に記載のスライド台座において、静音チェーンの両側には、抗張力バーが設けられ、それら二本の抗張力バーの間にローリングボールが自由に回転できる所定の間隔を保って多数の間隔薄片が設けられ、各間隔薄片には、間隔薄片に配置されたローリングボールが脱出しないように凸肩が設けられることを特徴とするスライド台座。
【請求項３】
請求項１又は２に記載のスライド台座において、循環エンドカバーの末端面の両側には、抗張力バーの循環溝及びローリングボールの循環パスが窪むように設けられ、その循環エンドカバーを循環孔台座の両側に嵌め込むと、その循環孔台座の両側に、ローリングボールが循環できる完全空間が形成されることを特徴とするスライド台座。
【請求項４】
請求項１〜３のいずれか１に記載のスライド台座には、ロックホールがあり、そのロックホールに循環孔台座のフック及び防塵カバーのフックをそのロックホールに挿入すると、位置決めして相互に嵌め合うことができるようにしたことを特徴とするスライド台座。
【請求項５】
請求項１〜４のいずれか１に記載のスライド台座において、循環エンドカバーの上面には、スライドブロックの上面に設けられている凹入溝に合う凸体が設けられ、その凸体と凹入溝とを嵌合してスライドブロックに循環エンドカバーを結合することを特徴とするスライド台座。
【請求項６】
請求項１〜５のいずれか１に記載のスライド台座において、第二凹溝は、円弧溝ブロックと循環孔台座の側壁との間に設けられることを特徴とするスライド台座。
【請求項７】
請求項１〜６のいずれか１に記載のスライド台座において、アウターホールパスは、円弧溝ブロックと循環孔台座の側壁との間に形成され、しかも、上下の第二凹溝の間に形成されることを特徴とするスライド台座。
【請求項８】
請求項１〜７のいずれか１に記載のスライド台座において、インナーホールパスは、スライドブロックの底部両側に突出して設けられいるバーを循環孔台座の凹入部に嵌め込み、そのバーに設けられているローリング凹溝の両端に円弧溝ブロックの間を充填して円弧状のパスが前後に延びるように形成され、その形成されたインナーホールドパスはスライドレールの両外側に設けられているローリング凹溝と対向するように設けられたことを特徴とするスライド台座。
【考案の詳細な説明】
【技術分野】
【０００１】
本考案はスライド台座に係り、特に、小型のスライド台座のスライドレールの循環装置構造の改良に関するもので、騒音を低減し、スライド台座をスライドレールに入れる時に、ローリングボールが静音チェーンから脱落せず、それでいて、ローリングユニットを保持して、スライド台座をスライドレールに入れることができ、スムーズにスライド台座を移動できるようにしたものに関する。
【背景技術】
【０００２】
従来、この種の小型のスライド台座に用いられるスライドレールの循環装置の構造は、図１４に示されるように、主としてスライドレール１及びスライド台座２から構成されている。このスライド台座２は、スライドレール１に跨って、かつ、そのスライドレールの伸張方向に沿って滑るように移動できるように構成されている。
【０００３】
上記スライドレール１とスライド台座２の接触エッジ（接触面）には、後述する図２に示されるローリングボール（図２の７０参照）が設けられている。すなわち、スライド台座２には、ローリングボールの循環通路（パス）が配置されている。また、スライド台座２の前後両端には、循環装置３がそれぞれ設置され、その循環装置３の内側には、スチールワイヤ（図示せず）が内蔵されていて、そのスチールワイヤにより、ローリングボールを落ちないように保持している。
【特許文献１】特になし
【考案の開示】
【考案が解決しようとする課題】
【０００４】
しかしながら、上記従来のスライドレールの循環装置は、スライド台座のローリングボールが移動しているうちに、各ローリングボール間に多少のギャップがあるため、ローリングボール同士の衝突により騒音が発生するという欠点があった。
【０００５】
また、上述のローリングボールを保持するスチールワイヤは、ローリングボールが落ちないように保持するのみで、発生する騒音を防止する効果を期待することはできなかった。さらに、小型のスライド台座のスライド台座は、体積が小さいので加工が困難であり、また、循環装置は、後にねじによりスライド台座の両端にそれぞれ取付けられるように構成されてるが、このねじによる組み立て作業は、複雑で最善の方法ではなかった。
【０００６】
このため、本考案に係るスライド台座は、上記欠点を解決するためになされたものであって、その目的は、騒音を低減することができるとともに、ローリングボールの脱落のおそれがなく、また、組立ての容易なスライド台座を提供することにある。
【課題を解決するための手段】
【０００７】
本考案に係るスライド台座は、上記目的を達成するために、請求項１に記載の考案は、スライドレール、スライドブロック、循環孔台座、循環エンドカバー、防塵カバー、ローリングボール及び静音チェーンを有してなるスライド台座であって、前記スライドブロックは、前記循環孔台座に取付けられ、しかも、前記スライドレールの両側に設けられているローリング凹溝及びその循環孔台座のインナーホールパス間にローリングボール及び静音チェーンが配置され、その循環孔台座の両端に前記循環エンドカバーを挿入して結合し、その循環エンドカバーの外側に前記防塵カバーが嵌め込まれ、前記循環孔台座は、上面の両側に凹入部を有し、その前後端には上方に近づく箇所にフックが設けられるとともに、下方に近づく箇所に円弧溝ブロックが設けられ、その円弧溝ブロックの内側にはそれぞれフランジが設けられていて、そのフランジとその円弧溝ブロックのプレートとの間に第一凹溝が形成されるとともに、その円弧溝ブロックの外側には第二凹溝が形成され、ローリングボール及び静音チェーンが配置されるアウターホールパスはその円弧溝ブロックの外側と上下二つの第二凹溝の間に設けられる、ことを特徴としている。
本考案の請求項２に記載のスライド台座は、静音チェーンの両側には、抗張力バーが設けられ、それら二本の抗張力バーの間にローリングボールが自由に回転できる所定の間隔を保って多数の間隔薄片が設けられ、各間隔薄片には、間隔薄片に配置されたローリングボールが脱出しないように凸肩が設けられることを特徴としている。
本考案の請求項３に記載のスライド台座は、循環エンドカバーの末端面の両側には、抗張力バーの循環溝及びローリングボールの循環パスが窪むように設けられ、その循環エンドカバーを循環孔台座の両側に嵌め込むと、その循環孔台座の両側に、ローリングボールが循環できる完全空間が形成されることを特徴としている。
本考案の請求項４に記載のスライド台座は、ロックホールがあり、そのロックホールに循環孔台座のフック及び防塵カバーのフックをそのロックホールに挿入すると、位置決めして相互に嵌め合うことができるようにしたことを特徴としている。
本考案の請求項５に記載のスライド台座は、循環エンドカバーの上面には、スライドブロックの上面に設けられる凹入溝に合う凸体が設けられ、その凸体と凹入溝とを嵌合してスライドブロックに循環エンドカバーを結合することを特徴としている。
本考案の請求項６に記載のスライド台座は、第二凹溝は、円弧溝ブロックと循環孔台座の側壁との間に設けられることを特徴としている。
本考案の請求項７に記載のスライド台座は、アウターホールパスは、円弧溝ブロックと循環孔台座の側壁との間に形成され、しかも、上下の第二凹溝の間に形成されることを特徴としている。
本考案の請求項８に記載のスライド台座は、インナーホールパスは、スライドブロックの底部両側に突出して設けられいるバーを循環孔台座の凹入部に嵌め込み、そのバーに設けられているローリング凹溝の両端に円弧溝ブロックの間を充填して円弧状のパスが前後に延びるように形成され、その形成されたインナーホールドパスはスライドレールの両外側に設けられているローリング凹溝と対向するように設けられたことを特徴としている。
【考案の効果】
【０００８】
本考案の請求項１に記載のスライド台座は、スライドレール、スライドブロック、循環孔台座、循環エンドカバー、防塵カバー、ローリングボール及び静音チェーンを有してなるスライド台座であって、前記スライドブロックは、前記循環孔台座に取付けられ、しかも、前記スライドレールの両側に設けられているローリング凹溝及びその循環孔台座のインナーホールパス間にローリングボール及び静音チェーンが配置され、その循環孔台座の両端に前記循環エンドカバーを挿入して結合し、その循環エンドカバーの外側に前記防塵カバーが嵌め込まれ、前記循環孔台座は、上面の両側に凹入部を有し、その前後端には上方に近づく箇所にフックが設けられるとともに、下方に近づく箇所に円弧溝ブロックが設けられ、その円弧溝ブロックの内側にはそれぞれフランジが設けられていて、そのフランジとその円弧溝ブロックのプレートとの間に第一凹溝が形成されるとともに、その円弧溝ブロックの外側には第二凹溝が形成され、ローリングボール及び静音チェーンが配置されるアウターホールパスはその円弧溝ブロックの外側と上下二つの第二凹溝の間に設けられるので、スライド台座を簡単に組み立てることができる。
本考案の請求項２に記載のスライド台座は、静音チェーンの両側には、抗張力バーが設けられ、それら二本の抗張力バーの間にローリングボールが自由に回転できる所定の間隔を保って多数の間隔薄片が設けられ、各間隔薄片には、間隔薄片に配置されたローリングボールが脱出しないように凸肩が設けられるので、スライドボールの衝突がなく、したがって、騒音を防止することができる。
本考案の請求項３に記載のスライド台座は、循環エンドカバーの末端面の両側には、抗張力バーの循環溝及びローリングボールの循環パスが窪むように設けられ、その循環エンドカバーを循環孔台座の両側に嵌め込むと、その循環孔台座の両側に、ローリングボールが循環できる完全空間が形成されるので、抗張力バー及びローリングボールの循環パスを容易に作ることができる。
本考案の請求項４に記載のスライド台座は、ロックホールがあり、そのロックホールに循環孔台座のフック及び防塵カバーのフックをそのロックホールに挿入すると、位置決めして相互に嵌め合うことができるようにしたので、循環エンドカバー、循環孔台座及び防塵カバーを簡単に組み立てることができる。
本考案の請求項５に記載のスライド台座は、循環エンドカバーの上面には、スライドブロックの上面に設けられている凹入溝に合う凸体が設けられ、その凸体と凹入溝とを嵌合してスライドブロックに循環エンドカバーを結合するので、循環エンドカバー及びスライドブロックの組み立てを簡単に行うことができる。
本考案の請求項６に記載のスライド台座は、第二凹溝は、円弧溝ブロックと循環孔台座の側壁との間に設けられるので、第二凹溝を簡単に形成することができる。
本考案の請求項７に記載のスライド台座は、アウターホールパスは、円弧溝ブロックと循環孔台座の側壁との間に形成され、しかも、上下の第二凹溝の間に形成されるので、アウターホールパスを容易に形成することができる。
本考案の請求項８に記載のスライド台座は、インナーホールパスは、スライドブロックの底部両側に突出して設けられいるバーを循環孔台座の凹入部に嵌め込み、そのバーに設けられているローリング凹溝の両端に円弧溝ブロックの間を充填して円弧状のパスが前後に延びるように形成され、その形成されたインナーホールドパスはスライドレールの両外側に設けられているローリング凹溝と対向するように設けたので、インナーホールパスを容易に形成することができる。
【考案を実施するための最良の形態】
【０００９】
以下、本考案を実施するための最良の形態を図面に基づいて説明する。図１は、一実施の形態に係る小型のスライド台座２００の斜視図、図２は、その分解斜視図である。このスライド台座２００は、主にスライドレール１０、スライドブロック２０、循環孔台座３０、循環エンドカバー４０、防塵カバー５０、静音チェーン６０、ローリングボール７０の要素から構成されている。
【００１０】
ほぼ直方体からなるスライドレール１０の相対する二つ外側には、ローリング凹溝１１がそれぞれ設けられている。そして、スライドブロック２０の底面両側には、下へ突出したバー２１がそれぞれ設けられている。これらバー２１に近づく内側端部には、相対するようにローリング凹溝２２が設けられている。また、スライドブロック２０の上端の両側には、凹入溝２３がそれぞれ設けられている。
【００１１】
循環孔台座３０は、図３、図４及び図５に示されるように、フレームの上面の両側に凹入部３１がそれぞれ設けられている。また、この循環孔台座３０の前後端の下方に近づく箇所には、円弧溝ブロック３２が一体的にそれぞれ連結されている。そして、これら円弧溝ブロック３２に対応した前後端の上方に近づく箇所には、フック３３がそれぞれ設置されている。
【００１２】
循環孔台座３０の内側には、図３に示されるように、それぞれフランジ３４が配置されている。そして、フランジ３４と円弧溝ブロック３２との間には、第一凹溝３５が形成されているとともに、円弧溝ブロック３２の外側には、第二凹溝３６が形成されている。図６に示されるように、これら二つの第一凹溝３５及び第二凹溝３６を経由して、静音チェーン６０の抗張力バー６１の回転案内循環通路（パス）が形成される。同時に、円弧溝ブロック３２と循環孔台座る３０の側壁との間には、ローリングユニットをなすアウターホールパス３７が図３に示されるように形成されるとともに、その２つの対応端には、ローリングユニットをなすインナーホールパス３８が形成される。これら２つの内外のホールパス３７，３８を経由して、静音チェーン６０、ローリングボール７０の回転及び循環通路が図６に示されるように形成される。
【００１３】
図７に示されるように、循環エンドカバー４０の末端面の両側には、循環溝４１及び循環ホールパス（通路）４２が窪むように設けられている。そして、このエンドカバー４０の上方位置には、ロックホール４３が設けられている。また、循環孔台座３０は、フック３３により、ロックホール４３に挿入し、循環エンドカバー４０と結合し、完全な循環通路を形成し、この通路内を静音チェーン６０及びローリングボール７０が回転し、循環することができる。そして、循環エンドカバー４０の上端には、凹入溝２３の外形に合うように凸体４４が設けられている。
【００１４】
上記スライドブロック２０は、図２及び図１２に示されるように、循環孔台座３０の上面両側に設けられている凹入部３１を経由してスライドブロック２０の下向きのバー２１を位置決めして挟まれる。また、循環孔台座３０の前後端上方には、フック３３が設けられており、このフック３３を利用して、循環エンドカバー４０を嵌め合わされる。そして、循環エンドカバー４０の凸体４４は、図１３に示されるように、スライドブロック２０をロックすることができるように構成されている。これにより、スライドブロック２０は、水平方向及び、垂直方向に対しても、安定かつ強固にロックされる。
【００１５】
循環エンドカバー４０のロックホール４３には、図７及び図１１に示されるように、循環孔台座３０のフック３３がそのロックホール４３に挿入されて、循環エンドカバー４０が循環孔台座３０に結合される。さらに、循環エンドカバー４０の外側から、防塵カバー５０を取付けて循環エンドカバー４０が封じられる。すなわち、防塵カバー５０側に設けられているフック５１が循環エンドカバー４０のロックホール４３に挿入されて結合される。循環エンドカバー４０と循環孔台座３０とが結合したあとで、フック３３，５１と対応するロックホール４３の側壁は、図１１に示すように、相互の位置決めしながらロックされる。
【００１６】
静音チェーン６０は、図８及び図９に示されるように、所定の間隔（ピッチ）を保って連結された一本の中空帯からなる。すなわち、この静音チェーン６０は、可撓性からなる張力に優れた二本の抗張力バー６１の間に、ローリングボール（ベアリングボール）７０が所定の間隔を保って充填されるように構成されている。したがって、充填された各ローリングボール７０は、互いに衝突しないので、騒音の発生のおそれはない。
【００１７】
上記静音チェーン６０の所定の間隔毎に配置される間隔薄片６２は、ローリングボール７０の曲面に沿った曲面を有する外側縁をなす凸肩６３が設けられている。この凸肩６３により、抗張力バー６１に設けられている間隔薄片６２は、ローリングボール７０を回転自在に、かつ、間隔薄片６２間から脱落することなく保持することができる。このため、スライド台座２００をスライド台座レール１０に入れるときにもローリングボール７０は、静音チェーン６０から離れることがなく、このため、スライド台座２００は、スライドレール１０上をスムーズに往復移動することができる。また、静音チェーン６０の間隔薄片６２は、ローリングボール７０を互いに離しているので、ローリングボール７０が相互に衝突することがなく、したがって、ローリングボール７０の衝突に伴う騒音の発生を防止することができる。
【００１８】
図３、図４及び図１０を用いて本考案に係るスライド台座２００の組み立てについて説明する。先ず、スライドブロック２０は循環孔台座３０の上に置かれると、各円弧溝ブロック３２の左右両側には、第一凹溝３５、第二凹溝３６、アウターホールパス３７及びインナーホールパス３８が形成される。その次にローリングボール７０を組み込んだ静音チェーン６０が入れられる。そして、静音チェーン６０の抗張力バー６１が第一凹溝３５及び第二凹溝３６で位置決めされる。同時に、スライドブロック２０の底部両側に突出しているバー２１が配置される。バー２１が循環孔台座３０の凹入部３１に嵌め込まれると、バー２１に設けられている凹溝２２は、両端の円弧溝ブロック３２の間に充填される。これにより、円弧条の通路（パス）が前後に伸ばされて接続される。
【００１９】
さらに、スライドレール１０の両外側に設けられているローリング凹溝１１と、インナーホールパス３８を経由して、両端の循環エンドカバー４０に結合されると、完全な循環通路が形成され、循環通路内を静音チェーン６０及びローリングボール７０が循環回転することができる。そのあと、防塵カバー５０が循環エンドカバー４０に挿入してロックされて、スライド台座２００が組み立て完成となる。これにより、スライド台座２００はスライドレール１０上を滑動することができる。
【図面の簡単な説明】
【００２０】
【図１】本考案に係るスライド台座の斜視図である。
【図２】本考案に係るスライド台座の分解斜視図である。
【図３】本考案に係るスライド台座の循環孔台座の側面図である。
【図４】本考案に係るスライド台座の循環孔台座の断面図である。
【図５】本考案に係るスライド台座の循環孔台座の斜視図である。
【図６】本考案に係るスライド台座の静音チェーンを循環孔台座に組み入れた状態の斜視図である。
【図７】本考案に係るスライド台座の循環エンドカバーの斜視図である。
【図８】本考案に係るスライド台座の静音チェーン及びローリングボールの組立て図である。
【図９】本考案に係るスライド台座の静音チェーン及びローリングボールの組立て側面図である。
【図１０】本考案に係るスライド台座を組み立てた状態の斜視図である。
【図１１】本考案に係るスライド台座の循環孔台座及び防塵カバーを組立てた状態を示す説明図である。
【図１２】本考案に係るスライド台座のスライドブロックを循環孔台座に組み入れた状態の斜視図である。
【図１３】本考案に係るスライド台座のスライドブロック、循環孔台座及び循環エンドカバーを嵌め合わせ組み立てた状態の斜視図である。
【図１４】従来のスライド台座の斜視図である。
【符号の説明】
【００２１】
１０      スライドレール
２０      スライドブロック
３０      循環孔台座
４０      循環エンドカバー
５０      防塵カバー
６０      静音チェーン
７０      ローリングボール
１１，２２      ローリング凹溝
２１      バー
２３      凹入溝
３１      凹入部
３２      円弧溝ブロック
３３      フック
３４      フランジ
３５      第一凹溝
３６      第二凹溝
６１      抗張力バー
３７      アウターホールパス
３８      インナーホールパス
４１      循環溝
４２      循環ホールパス
４３      ロックホール
３３，５１      フック
４４      凸体
６２      間隔薄片
６３      凸肩
２００      スライド台座
【図１】
0003108833.tif 000003
【図２】
0003108833.tif 000004
【図３】
0003108833.tif 000005
【図４】
0003108833.tif 000006
【図５】
0003108833.tif 000007
【図６】
0003108833.tif 000008
【図７】
0003108833.tif 000009
【図８】
0003108833.tif 000010
【図９】
0003108833.tif 000011
【図１０】
0003108833.tif 000012
【図１１】
0003108833.tif 000013
【図１２】
0003108833.tif 000014
【図１３】
0003108833.tif 000015
【図１４】
0003108833.tif 000016